(57)【要約】【課題】着用者の身体に密着し、姿勢の維持および身体の可動性が良好な衣類を提供する。【解決手段】衣類１００は、着用者の胸部を覆う胸サポート部１１、および胸部から股上にかけて形成される中央サポート部１２を有する前面サポート部１と、前面サポート部１よりも伸縮性が高い伸縮性付与部としての体側サポート部２とを備え、着用者の身体に密着するように形成されている。胸サポート部１１は、下縁辺１１ａがバージスラインよりも上方に位置し、体側サポート部２は、下縁辺１１ａの下方および体側部を覆うように形成されている。【選択図】図１
2020186484.tif 000002
【特許請求の範囲】
【請求項１】
着用者の胸部を覆う胸サポート部、および胸部から股上にかけて形成される中央サポート部を有する前面サポート部と、前記前面サポート部よりも伸縮性が高い伸縮性付与部とを備え、着用者の身体に密着するように形成された衣類において、
前記胸サポート部は、下縁辺がバージスラインよりも上方に位置し、
前記伸縮性付与部は、前記下縁辺の下方および体側部を覆うように形成されていることを特徴とする衣類。
【請求項２】
前記胸サポート部と前記中央サポート部との接続部分に周方向の幅が狭い幅狭部が形成され、
前記中央サポート部は、前記幅狭部に続いて幅広部が下方に延びるように設けられていることを特徴とする請求項１に記載の衣類。
【請求項３】
着用者の胸部を覆う胸サポート部、および胸部から股上にかけて形成される中央サポート部を有する前面サポート部と、前記前面サポート部よりも伸縮性が高い伸縮性付与部とを備え、着用者の身体に密着するように形成された衣類において、
前記胸サポート部と前記中央サポート部との接続部分に周方向の幅が狭い幅狭部が形成され、
前記中央サポート部は、前記幅狭部に続いて幅広部が下方に延びるように設けられており、
前記伸縮性付与部は、前記胸サポート部の下方および体側部を覆うように形成されていることを特徴とする衣類。
【請求項４】
前記伸縮性付与部は、さらに前記胸サポート部の上方に形成されていることを特徴とする請求項１から３のいずれか１項に記載の衣類。
【請求項５】
前記胸サポート部の上縁辺は、中央部が上方に対して凹状となっていることを特徴とする請求項１から４のいずれか１項に記載の衣類。
【請求項６】
着用者の腰部に配設されており、前記中央サポート部の周方向における両端から背中を覆い、前記前面サポート部よりも周方向の伸縮性が低い腰サポート部を備えることを特徴とする請求項１から５のいずれか１項に記載の衣類。
【請求項７】
前記腰サポート部と離間して着用者の大腿部の後面に配設されており、着用者の大腿部を覆う大腿サポート本体部よりも伸縮性が低い大腿後面サポート部を備えることを特徴とする請求項６に記載の衣類。
【請求項８】
前記腰サポート部と前記大腿後面サポート部との間は、外側よりも内側が狭いことを特徴とする請求項７に記載の衣類。
【請求項９】
前記大腿後面サポート部の周方向の寸法は、大腿部の後面における周方向の寸法の半分以下であることを特徴とする請求項７または８に記載の衣類。
【請求項１０】
前記大腿後面サポート部の上縁側における外縁辺は、大腿部の後面における外縁から３分の１内側に入ったラインよりも内側に位置していることを特徴とする請求項７から９のいずれか１項に記載の衣類。
【請求項１１】
着用者の身体に密着するように形成された衣類であって、
着用者の大腿部を覆う大腿サポート部と、
腰部における前面および背面を覆い、前記大腿サポート部よりも伸縮性が低い腰サポート部と、を備え、
前記腰サポート部の上縁辺は、背面側よりも前面側が高い位置にあることを特徴とする衣類。
【請求項１２】
着用者の骨盤の高さに相当する位置に上縁辺が形成され、下半身を覆うように形成されていることを特徴とする請求項１１に記載の衣類。
【請求項１３】
前記腰サポート部の上縁辺は、背面側において上方に対して凹状に形成されていることを特徴とする請求項１１に記載の衣類。
【発明の詳細な説明】
【技術分野】
【０００１】
本発明は、着用者の身体に密着するように形成された衣類に関する。
【背景技術】
【０００２】
スポーツ等で着用する衣類では、着用時に身体に密着し、着用者の姿勢を維持しつつ、身体の可動性が確保される工夫がなされている。
【０００３】
例えば、特許文献１には、着用時に着用者の体に密着するように形成された水着が開示されている。この水着は、所定の伸縮性を有する上半身本体部および下半身本体部と、着用者の肋骨近傍に相当する領域（脇身頃部）、および着用者の鼠径部から大腿部内側付近に相当する領域（内股部）に配置され、上半身本体部および下半身本体部よりも伸縮性の高い高伸張部分とを備える。上半身本体部および下半身本体部と、高伸張部分とは、互いに異なる編物構造または織物構造を有する。
【先行技術文献】
【特許文献】
【０００４】
【特許文献１】特開２００９−２６３８４１号公報
【発明の概要】
【発明が解決しようとする課題】
【０００５】
例えば、水泳における蹴伸びのように着用者が真っ直ぐ頭上に腕を挙げる運動をする際に、胸部における下部および脇下の体側の皮膚は連続的に大きく伸びる。特許文献１に記載の水着は、胸部全体に伸縮性の低い上半身本体部が設けられており、蹴伸び姿勢の際に胸部における皮膚の動きを阻害して運動の妨げとなるという問題点があった。
【０００６】
本発明は、こうした課題に鑑みてなされたものであり、その目的は、着用者の身体に密着し、姿勢の維持および身体の可動性が良好な衣類を提供することにある。
【課題を解決するための手段】
【０００７】
本発明のある態様は衣類である。衣類は、着用者の胸部を覆う胸サポート部、および胸部から股上にかけて形成される中央サポート部を有する前面サポート部と、前記前面サポート部よりも伸縮性が高い伸縮性付与部とを備え、着用者の身体に密着するように形成された衣類において、胸サポート部は、下縁辺がバージスラインよりも上方に位置し、前記伸縮性付与部は、前記下縁辺の下方および体側部を覆うように形成されていることを特徴とする。
【０００８】
別の態様に係る衣類は、着用者の胸部を覆う胸サポート部、および胸部から股上にかけて形成される中央サポート部を有する前面サポート部と、前記前面サポート部よりも伸縮性が高い伸縮性付与部とを備え、着用者の身体に密着するように形成された衣類において、前記胸サポート部と前記中央サポート部との接続部分に周方向の幅が狭い幅狭部が形成され、前記中央サポート部は、前記幅狭部に続いて幅広部が下方に延びるように設けられており、前記伸縮性付与部は、前記胸サポート部の下方および体側部を覆うように形成されていることを特徴とする。
【０００９】
また別の態様に係る衣類は、着用者の身体に密着するように形成された衣類であって、着用者の大腿部を覆う大腿サポート部と、腰部における前面および背面を覆い、前記大腿サポート部よりも伸縮性が低い腰サポート部と、を備え、前記腰サポート部の上縁辺は、背面側よりも前面側が高い位置にあることを特徴とする。
【００１０】
尚、以上の構成要素の任意の組み合わせや、本発明の構成要素や表現を方法、装置などの間で相互に置換したものもまた、本発明の態様として有効である。
【発明の効果】
【００１１】
本発明によれば、着用者の身体に密着し、姿勢の維持および身体の可動性が良好となる。
【図面の簡単な説明】
【００１２】
【図１】図１（ａ）は実施形態１に係る衣類を示す正面図であり、図１（ｂ）は衣類の背面図である。
【図２】バージスラインと胸サポート部との関係を説明するための模式図である。
【図３】図３（ａ）は、衣類の各部の伸縮性を示す正面図、図３（ｂ）は衣類の各部の伸縮性を示す背面図である。
【図４】図４（ａ）および図４（ｂ）は着用者が腕を挙げて蹴伸びした姿勢を説明するための模式図である。
【図５】実施形態２に係る衣類を示す正面図であり、図５（ｂ）は衣類の背面図である。
【図６】図６（ａ）〜図６（ｄ）は変形例に係る衣類を示す正面図である。
【図７】図７（ａ）〜図７（ｅ）は別の変形例に係る衣類を示す正面図である。
【図８】図８（ａ）〜図８（ｄ）は別の変形例に係る衣類を示す正面図である。
【図９】図９（ａ）〜図９（ｃ）は別の変形例に係る衣類を示す正面図である。
【図１０】図１０（ａ）〜図１０（ｆ）は、別の変形例に係る衣類を示す背面図である。
【図１１】図１１（ａ）〜図１１（ｃ）は、別の変形例に係る衣類を示す背面図である。
【図１２】図１２（ａ）〜図１２（ｅ）は、別の変形例に係る衣類を示す背面図である。
【図１３】図１３（ａ）および図１３（ｂ）は、別の変形例に係る衣類を示す背面図である。
【図１４】図１４（ａ）は別の変形例に係る衣類を示す正面図であり、図１４（ｂ）は別の変形例に係る衣類を示す背面図である。
【図１５】図１５（ａ）は別の変形例に係る衣類を示す正面図であり、図１５（ｂ）は別の変形例に係る衣類を示す背面図である。
【図１６】図１６（ａ）は別の変形例に係る衣類を示す正面図であり、図１６（ｂ）は別の変形例に係る衣類を示す背面図である。
【図１７】図１７（ａ）は別の変形例に係る衣類を示す正面図であり、図１７（ｂ）は別の変形例に係る衣類を示す背面図である。
【図１８】図１８（ａ）は別の変形例に係る衣類を示す正面図であり、図１８（ｂ）は別の変形例に係る衣類を示す背面図である。
【図１９】図１９（ａ）は別の変形例に係る衣類を示す正面図であり、図１９（ｂ）は別の変形例に係る衣類を示す背面図である。
【図２０】図２０（ａ）は別の変形例に係る衣類を示す正面図であり、図２０（ｂ）は別の変形例に係る衣類を示す背面図である。
【図２１】図２１（ａ）は別の変形例に係る衣類を示す正面図であり、図２１（ｂ）は別の変形例に係る衣類を示す背面図である。
【発明を実施するための形態】
【００１３】
以下、本発明を好適な実施の形態をもとに図１から図２１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
（実施形態１）
図１（ａ）は実施形態１に係る衣類１００を示す正面図であり、図１（ｂ）は衣類１００の背面図である。衣類１００は、前面サポート部１、体側サポート部２、腰サポート部３、および大腿サポート部４を備え、上半身から下半身に亘って身体に密着し、身体を覆う。衣類１００は、例えばスイミング用のスイムウェア、ヨガや体操等で着用するスポーツウェアである。尚、図１（ａ）および図１（ｂ）において、破線は生地の縫合線を、点線は裏地の周縁を表しており、衣類１００の各部分は、該縫合線および裏地の周縁で区切られている。
【００１５】
前面サポート部１は、胸サポート部１１、中央サポート部１２を有し、身生地に裏地を貼り合わせて伸縮性を低く抑えた構成となっている。胸サポート部１１はバストに対応する位置に設けられている。胸サポート部１１の下縁辺１１ａは、体側から胸部前面の中央にかけて、中央へ向かうにつれてやや下降するように延びているが、水平に延びていてもよい。胸サポート部１１の上縁辺１１ｂは、体側から胸部前面の中央にかけて、中央へ向かうにつれて下降するように延び、胸部中央部において傾斜が大きく、凹部１１ｃが形成されている。上縁辺１１ｂに連続して上側に胸上サポート部１５が設けられている。胸上サポート部１５は、身生地の一重となっており、前面サポート部１よりも伸縮性が高い。
【００１６】
中央サポート部１２は、胸サポート部１１の下部から股上にかけて延び、前面正中線に沿って配されている。中央サポート部１２は、胸サポート部１１との接続部分が幅の狭い幅狭部１２ａとなっており、幅狭部１２ａの下方に幅広部１２ｂが延びている。幅広部１２ｂの左右の側辺部１２ｃは、体側に対して凹状に湾曲している。
【００１７】
図２はバージスラインと胸サポート部１１との関係を説明するための模式図である。図２は、衣類１００の正面図に相当している。バージスラインは、バストトップの位置Ｑを中心とする円弧状に形成されており、バストの下部および側部の周縁に相当する。胸サポート部１１の下縁辺１１ａは、バージスラインの下端よりも上側に位置するように設けられている。胸サポート部１１の外側辺１１ｄは、バージスラインの内側または外側であってもよく、ほぼバージスライン上に位置していてもよい。
【００１８】
体側サポート部２は、体側から前面へ延び、胸サポート部１１の下縁辺１１ａの下方および中央サポート部１２の側方を切れ間なく覆っている。体側サポート部２は、身生地の一重であり、裏地を付けた前面サポート部１よりも伸縮性が高くなっている。また、体側サポート部２は体側から背面へ延び、背面孔部５０の周縁の一部をなす。体側サポート部２は、前面側では、バージスラインを含みバストの下部から腹部までの領域、背面側で、肋骨部分の領域を占めている。体側サポート部２および胸上サポート部１５は、身生地の一重で伸縮性が、前面サポート部１よりも高い、本発明における伸縮性付与部となっている。
【００１９】
腰サポート部３は、前面から背面に亘って形成されており、身体の腰部および臀部を覆うように設けられている。腰サポート部３は、前面側では、中央サポート部１２の外側辺１２ｄに連続している。腰サポート部３の上部は、前面側および背面側において、体側サポート部に連結されている。
【００２０】
大腿サポート部４は、身体の左右の大腿部をそれぞれ覆う筒状に形成された大腿サポート本体部４１と、大腿の後面においてポイント的に設けられた大腿後面サポート部４２とを有する。腰サポート部３と、大腿後面サポート部４２とは分割されており、腰サポート部３と大腿後面サポート部４２の間の離間部４１ａが形成されている。大腿後面サポート部４２は、下方から上方へ向かうにつれて幅広に形成されており、大腿後面サポート部４２の周方向の寸法は、大腿部の後面における周方向の寸法の半分以下としている。尚、大腿部の後面の周方向の寸法は、衣類１００の大腿部での周方向における全周寸法の半分の寸法であると定義する。また、大腿後面サポート部４２の上縁側における外縁辺は、大腿部の後面における外縁から３分の１内側に入ったラインよりも内側に位置している。
【００２１】
衣類１００は、身生地および裏地ともに、例えばポリウレタンやナイロン等の素材で構成されたストレッチ織物で形成されている。身生地と裏地を貼り合わせた前面サポート部１、腰サポート部３および大腿後面サポート部４２では、裏地を固定するために裏地の縁部をホットメルトで身生地に溶着加工している。また、身生地および裏地には、ニット、メッシュ、不織布およびクロロプレンゴム等の伸縮性を有する生地を用いることができる。
【００２２】
また、衣類１００は、各部における伸縮性の違いを設けるために、伸縮性の異なる生地を用いた各パーツを縫合する構成、高伸縮性の部分にオパール加工を施して溶かした構成、低伸縮性の部分にシリコンやアクリル樹脂加工を施した構成としてもよい。また、衣類１００は、ホールガーメントニットで縫製や加工なしに糸や組織を変化させて伸縮性に差をつける構成や、身生地および裏地にスリットやパンチング加工による穴等を施し、その密度によって伸縮性に差をつける構成としてもよい。
【００２３】
図３（ａ）は、衣類１００の各部の伸縮性を示す正面図、図３（ｂ）は衣類１００の各部の伸縮性を示す背面図である。体側サポート部２および胸上サポート部１５における丈方向の伸縮性をＳ１、周方向の伸縮性をＳ２とする。大腿サポート部４の丈方向の伸縮性をＳ３、周方向の伸縮性をＳ４とする。前面サポート部１の丈方向の伸縮性をＳ５、周方向の伸縮性をＳ６とする。腰サポート部３の丈方向の伸縮性をＳ７、周方向の伸縮性をＳ８とする。
【００２４】
上半身に配置されている体側サポート部２および胸上サポート部１５の身生地の伸縮性Ｓ１およびＳ２は、下半身に配置されている大腿サポート部４の身生地の伸縮性Ｓ３およびＳ４よりも高くなっている。上半身の身生地について、丈方向の伸縮性Ｓ１は、周方向の伸縮性Ｓ２よりも高い。また、下半身の身生地について、丈方向の伸縮性Ｓ３は、周方向の伸縮性Ｓ４よりも高い。
【００２５】
前面サポート部１の丈方向の伸縮性Ｓ５は、大腿サポート部４の丈方向の伸縮性Ｓ３とほぼ同じ程度としている。また、前面サポート部１の周方向の伸縮性Ｓ６は、大腿サポート部４の周方向の伸縮性Ｓ４と同じかＳ４よりも低くする。腰サポート部３の丈方向の伸縮性Ｓ７は、周方向の伸縮性Ｓ８よりも高くする。腰サポート部３の丈方向の伸縮性Ｓ７は、前面サポート部１の周方向の伸縮性Ｓ６とほぼ同じ程度としている。尚、大腿後面サポート部４２の伸縮性は、腰サポート部３と同じである。
【００２６】
総合すると、各部の伸縮性は、概ね次の関係式で表される。
Ｓ１＞Ｓ２≧Ｓ３≒Ｓ５＞Ｓ４≧Ｓ６≒Ｓ７＞Ｓ８
尚、伸縮性Ｓ２とＳ３はどちらが高い値をとってもよい。また、伸縮性Ｓ４とＳ６は、Ｓ６がＳ４よりも高い値をとってもよい。
【００２７】
次に衣類１００の作用について説明する。前面サポート部１は、胸サポート部１１の伸縮性が体側サポート部２よりも小さいことで、バストを圧縮して蹴伸び時に水の抵抗を減らす効果を高めることができる。図４（ａ）および図４（ｂ）は着用者が腕を挙げて蹴伸びした姿勢を説明するための模式図である。図４（ａ）および図４（ｂ）は着用者の側方から見た外観を表している。図４（ａ）に示すように、着用者が腕を挙げた姿勢をとったときに、胸椎および腰椎の曲がりが小さく、身体が真っ直ぐに伸びた姿勢となることで、例えば水泳では蹴伸び状態での水の抵抗が小さくなる。
【００２８】
例えば着用者の肩の動きが硬く腕が十分に伸びていないと、図４（ｂ）に示すように腕を挙げたときに、胸郭の下部が前側へ張り出し、図４（ａ）に示す場合に比べて、蹴伸び状態での水の抵抗が大きくなる。また、図４（ｂ）に示すように臀部が後方へ張り出した状態であると、図４（ａ）に示す場合に比べて、蹴伸び状態での水の抵抗が大きくなる。
【００２９】
前面サポート部１は、バストの領域を占める胸サポート部１１および胸サポート部１１から股上まで延びる中央サポート部１２の丈方向の伸縮性を低くすることで、着用者が腕を挙げたときに胸郭の後方への倒れおよび腰部の前方への倒れを抑制し、蹴伸び姿勢が真っ直ぐとなるよう維持する。
【００３０】
胸サポート部１１の下縁辺１１ａの下方には、伸縮性の高い体側サポート部２があり、肋骨下部での着圧を低減している。肋骨下部は、着用者が呼吸している状態で拡大縮小を繰り返すとともに、腕挙げ動作時にも周径が拡大する。この部分において、中央サポート部１２が体側サポート部２と丈方向において併存することにより、着用初期状態における体側サポート部２の着丈方向への過剰な伸長および張力の偏りを抑えることができる。これにより、更に胸部から体側にかけての皮膚の伸びに対する生地の追従性がより高まる。
【００３１】
胸サポート部１１の上方に配される胸上サポート部１５は、胸サポート部１１よりも丈方向の伸縮性が高くなることで、肩部における着圧を低く設定でき、肩の締め付け感や肩の動きの妨げとなることが抑制されている。
【００３２】
また、胸サポート部１１の上縁辺１１ｂは、上方に対して凹状となっており、凹状部分（凹部１１ｃ）の下端の高さは、バストの下縁よりも高く、バストトップよりも低い位置であることが望ましい。胸サポート部１１の上縁辺１１ｂの中央に凹状部分が設けられていることで、例えば水泳のバタフライのように腕を外に開く動作の際に、左右のバスト間が突っ張らず、動作性が良くなる。
【００３３】
体側およびバージスライン下方の領域は、腕挙げ動作によって皮膚が大きく伸びる。胸サポート部１１の下縁辺１１ａがバージスラインの下端よりも上側にあり、丈方向の伸縮性の高い体側サポート部２によって、体側およびバスト下部（バージスラインを含む）を覆うことで、該領域での皮膚の伸びに追従し、腕挙げ動作に伴って伸びることで、着用者の運動性を妨げないよう機能する。さらに、胸サポート部１１の下縁辺１１ａと中央サポート部１２の接続部分において、幅狭部１２ａが設けられることにより、胸サポート部１１の上下方向への動きがスムーズになる。尚、身体の中央は丈方向の皮膚のひずみが小さいため、丈方向の伸縮性が低い中央サポート部１２が設けられていても、腕挙げ動作の妨げとはならない。
【００３４】
衣類１００がスイムウェアである場合、専ら運動性を高めるべく、脇下等の領域に相当する部分に生地が設けられない傾向にある。一方、衣類１００がヨガや体操等で着用するスポーツウェアである場合には、脇下を身生地で覆う構成をとる場合もある。この場合、伸縮性の高い体側サポート部２が脇下等の領域を覆うように設けられることで、腕挙げ動作時の体側および脇下の領域での皮膚の伸びの妨げが抑制され、運動性が良くなる。
【００３５】
肋骨より下の腹部から腰部にかけては、周方向に伸縮性が低い腰サポート部３によって広い面積で覆う。蹴伸び姿勢においては、通常腹部が縮径するため、十分な着圧をかけられない恐れがあるが、腰サポート部３を設けることによって腹部の着圧を高めることが可能となり、着用者に筋活動を意識させることができる。
【００３６】
着用者の背面において、腰サポート部３と大腿後面サポート部４２とは分割されており、着用の初期状態、および股関節が軽度に屈曲した状態において、腰サポート部３と大腿後面サポート部４２の間の離間部４１ａにおける丈方向の張力が高くなり過ぎず、軽度の股関節屈曲動作を妨げない。例えば、水泳におけるキック動作時に、疲労前の通常範囲のキック（軽度の股関節屈曲動作に相当）が打ち易くなる。
【００３７】
また、離間部４１ａの側方周辺には高剛性な領域や縫合線は設けられておらず、離間部４１ａにおいて丈方向に着用時の初期ひずみが適度に与えられて初期張力を与えることができる。
【００３８】
大腿後面サポート部４２は下方から上方へ向かうにつれて幅広になっている。着用時には、着用者の大腿部後面における皮膚を、離間部４１ａに溜めることで、股関節の屈曲可動域が広げられる。また、大腿後面サポート部４２の上部が幅広であることによって、しっかりと皮膚を寄せることができる。また、大腿後面サポート部４２の下部が幅狭としてあることで、着圧が不要に高まってしまうことを抑制している。
【００３９】
大腿後面サポート部４２は、大腿サポート部４の裾には繋がっておらず、例えば裾から２ｃｍ程度上まで形成されている。大腿後面サポート部４２は、股関節の屈曲時における生地張力の増減が大腿後面サポート部４２よりも上で完結することで、裾のずれ上がりが抑えられる。
【００４０】
大腿後面サポート部４２の周方向の幅は、例えば３ｃｍ〜６ｃｍ程度とし、左右それぞれの大腿後面の全幅よりも狭くすることで、大腿部における過度の締め付けを抑制している。着用者がキック動作をする際に、大腿部において過度に締め付けられているとキックが打ちづらくなるため、大腿後面サポート部４２は、周方向の着圧および張力の増大を極力抑えるように、周方向の幅を設定する。
【００４１】
離間部４１ａの丈方向の幅（即ち、腰サポート部３の臀部における下縁と大腿後面サポート部４２との間の距離）は、例えば３ｃｍ〜６ｃｍ程度とする。但し、離間部４１ａの丈方向の幅が狭すぎると、着用状態の時点で離間部４１ａの伸長率が局所的に高まり、丈方向に発生する張力が高くなりすぎて軽度の股関節屈曲を伴う通常のキックがしづらくなる。また、離間部４１ａの丈方向の幅が広すぎると、疲労して股関節屈曲が大きなキック動作となった際に離間部４１ａの丈方向の張力が足りず、過度な股関節屈曲動作を制御できなくなる。
【００４２】
大腿後面サポート部４２は、最も外側の周縁が後面の３分の２の幅よりも内側に位置するように設けられる。これにより、大腿後面サポート部４２は、股関節が内転する際の可動性を確保すべく、大転子部分から大腿外側が硬くならないように配置されている。また、離間部４１ａの丈方向の幅は、内側より外側の方が距離を大きくしてあり、フロントキックが内転気味に打てるようキック動作を誘導することができる。
【００４３】
（実施形態２）
図５（ａ）は実施形態２に係る衣類１００を示す正面図であり、図５（ｂ）は衣類１００の背面図である。衣類１００は、腰サポート部３および大腿サポート部４を備え、着用者の下半身に密着し、身体を覆う。衣類１００は、例えばスイミング用、或いはヨガや体操等で着用するスポーツ用のパンツである。尚、図５（ａ）および図５（ｂ）において、破線は生地の縫合線を、点線は裏地の周縁を表しており、衣類１００の各部分は、該縫合線および裏地の周縁で区切られている（以下の各図において同様である）。
【００４４】
腰サポート部３は、身生地に裏地を貼り合わせた二重で構成されている。腰サポート部３の前面における上縁辺３ａは、背面における上縁辺３ｂよりも上方に位置する。腰サポート部３背面における上縁辺３ｂには身生地が配置されている。腰サポート部３の前面は、腰部の外側から股上の領域を覆い、身体の中央に向かうにつれて下降するように下縁辺３ｃが延びている。下縁辺３ｃは、下方に対して凹状となるように湾曲している。
【００４５】
腰サポート部３の後面は、腰部の外側から臀部を覆い、身体の中央に向かうにつれて下降するように下縁辺３ｄが延びている。下縁辺３ｄは、身体の外側では部分的に下方に対して凹状に湾曲しており、臀部を覆い易くするために、身体の中央の大半で下方に対して凸状に湾曲している。
【００４６】
大腿サポート部４は、身体の左右の大腿部をそれぞれ覆う筒状に形成された大腿サポート本体部４１と、大腿の後面においてポイント的に設けられた大腿後面サポート部４２とを有する。腰サポート部３と、大腿後面サポート部４２とは分割されており、腰サポート部３と大腿後面サポート部４２の間の離間部４１ａが形成されている。大腿後面サポート部４２は、下方から上方へ向かうにつれて幅広に形成されており、大腿後面サポート部４２の周方向の寸法は、大腿部の後面における周方向の寸法の半分以下としている。また、大腿後面サポート部４２の上縁側における外縁辺は、大腿部の後面における外縁から３分の１内側に入ったラインよりも内側に位置している。尚、大腿サポート部４における大腿後面サポート部４２と離間部４１ａについては、実施形態１と同等の構成となっており、実施形態１におけるそれらの部分と同等に作用する。
【００４７】
腰サポート部３の前面における上縁辺３ａが、背面における上縁辺３ｂよりも上方に位置することで、着用者の前面側での着圧が、後面側よりも上方寄りの位置において作用する。また、腰サポート部３は、図５（ａ）および図５（ｂ）に示すように、前面側では着用者の腰部に寄った領域を覆っており、後面側では着用者の臀部の下部に寄った領域を覆っており、後面側よりも前面側のほうが着圧がかかる位置が高くなる。前面側で高い位置で着圧がかかることによって、骨盤位置を補正する効果があり、蹴伸び状態において身体が真っ直ぐ伸びた姿勢が維持され、水の抵抗を低減することができる。
【００４８】
（変形例）
図６（ａ）〜図６（ｄ）は変形例に係る衣類１００を示す正面図である。図６（ａ）に示す変形例では、衣類１００の中央サポート部１２の側辺部１２ｃが直線状となっている。中央サポート部１２の側辺部１２ｃが直線状であっても、丈方向および周方向において実施形態１の中央サポート部１２と同等の作用効果を有する。図６（ｂ）に示す変形例では、衣類１００の幅狭部１２ａの幅が極端に狭くなっており、バージスライン付近の皮膚をより広く体側サポート部２で覆うことができる。バージスライン付近の皮膚をより広く体側サポート部２で覆うことで、皮膚の伸縮への生地の追従性が高くなり、腕挙げ動作がし易くなる。
【００４９】
図６（ｃ）に示す変形例では、中央サポート部１２の側辺部１２ｃが下方に向かうにつれて裾広がりとなるように設けられており、腰サポート部３との連続性が増して腹部における着圧を高めることができる。図６（ｄ）に示す変形例では、中央サポート部１２の中央に身生地一重の部分が形成されており、肋骨下部における着圧を抑制することができる。
【００５０】
図７（ａ）〜図７（ｅ）は別の変形例に係る衣類１００を示す正面図である。図７（ａ）に示す変形例では胸サポート部１１の外側辺１１ｄが内寄りに形成されている。図７（ｂ）に示す変形例では胸サポート部１１の下縁辺１１ａが上方寄りに形成されている。図７（ｃ）に示す変形例では胸サポート部１１の下縁辺１１ａが外側において上方向かうように湾曲して形成されている。図７（ａ）〜図７（ｃ）に示す変形例では、バージスライン付近を広く体側サポート部２で覆うため、腕挙げ動作のし易さ、生地の追従性を更に高めることができる。
【００５１】
図７（ｄ）および図７（ｅ）に示す変形例では胸サポート部１１の左右と、中央サポート部１２とが分割されて設けられている。図７（ｅ）に示す変形例では、さらに中央サポート部１２の上部が分割され、中央に身生地一重の部分も設けられている。図７（ｄ）および図７（ｅ）に示す変形例では、胸サポート部１１および中央サポート部１２が分割されることで、衣類１００内に入り込んだ水や空気が隙間の身生地一重の部分から排出される効果がある他、生産時に生地の材料取りがよくなる。尚、腰部の前方への倒れを抑制する効果を確保するために、中央サポート部１２の最上点を胸サポート部１１の最下点と同程度かそれより上方とすることが望ましい。
【００５２】
図８（ａ）〜図８（ｄ）は別の変形例に係る衣類１００を示す正面図である。図８（ａ）および図８（ｂ）に示す変形例では中央サポート部１２の周方向の幅を広くしている。これらの変形例では、肋骨の前方への突出を幅広い中央サポート部１２で抑え、腰部の前方への倒れを抑制する効果を高める。
【００５３】
図８（ｃ）に示す変形例では中央サポート部１２の幅狭部１２ａがバージスラインにかかって形成されており、図８（ｄ）に示す変形例では幅狭部１２ａの高さが極端に短く形成されている。これらの変形例では、バージスライン付近の身生地が二重の領域を増やすことによるバストを隠す効果や、中央サポート部１２の領域が増えることにより、バストを圧縮して蹴伸び時に水の抵抗を減らす効果を高めることができる。
【００５４】
図９（ａ）〜図９（ｃ）は別の変形例に係る衣類１００を示す正面図である。図９（ａ）に示す変形例では胸サポート部１１が袖ぐりに達しており、図９（ｂ）に示す変形例では胸サポート部１１の上縁辺１１ｂが波打つような形状となっている。これらの変形例では、バストへの着圧が高められ、バストを圧縮して水の抵抗を減らす効果を高めることができる。図９（ｃ）に示す変形例では中央サポート部１２の外側辺１２ｄが外側に対して凸状に形成されており、腰椎の高さにおける前側の中央サポート部１２が占める領域を広くすることで腰の反りを抑える効果を高める。
【００５５】
図１０（ａ）〜図１０（ｆ）は、別の変形例に係る衣類１００を示す背面図である。衣類１００は実施形態２に示したパンツ形式のものである。図１０（ａ）および図１０（ｂ）に示す変形例では、大腿後面サポート部４２の上縁を、外側へ向かうにつれて下降するような形状としたものであり、それぞれ上方に対して凸状または凹状に形成されている。図１０（ｃ）に示す変形例では、大腿後面サポート部４２の外側辺を外側に対して凹状に形成している。図１０（ａ）〜図１０（ｃ）に示す変形例は、実施形態２における衣類１００と同等の作用効果を有する。
【００５６】
図１０（ｄ）に示す変形例では、大腿後面サポート部４２をより内側に配置しており、着用者に対して、脚の内転をより意識させ易い。図１０（ｅ）に示す変形例では、大腿後面サポート部４２を丈方向に長くしており、大腿後面サポート部４２のずれ上がりを防ぎ、キック動作をより確実にサポートすることができる。図１０（ｆ）に示す変形例では、大腿後面サポート部４２を丈方向に波打つような形状としている。この場合も、実施形態２における衣類１００と同等の作用効果を有する。
【００５７】
図１１（ａ）〜図１１（ｃ）は、別の変形例に係る衣類１００を示す背面図である。図１１（ａ）に示す変形例では大腿後面サポート部４２を周方向に３分割して設けており、図１１（ｂ）に示す変形例では大腿後面サポート部４２を丈方向に２分割して設けている。図１１（ｃ）に示す変形例では大腿後面サポート部４２に切り込みを入れている。図１１（ａ）および図１１（ｃ）に示す変形例では、大腿後面サポート部４２を周方向に途切れさせることで、着用者の大腿部への着圧を抑えることができる。図１１（ｂ）に示す変形例では、大腿後面サポート部４２を丈方向に途切れさせることで、丈方向への張力増大を抑えるとともに、着用時に裾がずれ上がることを防ぐことができる。尚、大腿後面サポート部４２の分割数や切れ込みの数は、これらの変形例に限定されない。
【００５８】
図１２（ａ）〜図１２（ｅ）は、別の変形例に係る衣類１００を示す背面図である。図１２（ａ）に示す変形例では腰サポート部３と大腿後面サポート部４２との間の離間部４１ａの丈方向の距離を大きくしている。図１２（ｂ）に示す変形例では大腿後面サポート部４２の周方向の幅を細くし、図１２（ｃ）に示す変形例では大腿後面サポート部４２の丈方向の寸法を短くしている。図１２（ａ）〜図１２（ｃ）に示す変形例では、股関節の屈曲に影響を与えるサポート力を弱く調整できるため、大腿サポート本体部４１の伸縮性を高めに設定することができる。また、図１２（ｂ）および図１２（ｃ）に示す変形例では、大腿後面サポート部４２の面積が小さいため材料を削減でき、着用者の大腿部下部における着圧の増大を抑制することができる。
【００５９】
図１２（ｄ）に示す変形例では腰サポート部３と大腿後面サポート部４２との間の離間部４１ａの丈方向の距離を小さくし、股関節屈曲の制御力が高めることができる。図１２（ｅ）に示す変形例では大腿後面サポート部４２が大腿サポート部４の裾に達しており、大腿後面サポート部４２のずれ上がりを防ぎ、キック動作をより確実にサポートすることができる。
【００６０】
図１３（ａ）および図１３（ｂ）は、別の変形例に係る衣類１００を示す背面図である。図１３（ａ）に示す変形例では大腿後面サポート部４２の下部が分岐し、周方向に延びて前側に回り込んでいることで、大腿後面サポート部４２のずれ上がりを防ぎ、キック動作をより確実にサポートすることができる。図１３（ｂ）に示す変形例では大腿後面サポート部４２の下部における周方向の幅が広がっていることで、この部分での着圧が増え、図１３（ａ）に示す変形例と同様に大腿後面サポート部４２のずれ上がりを防ぎ、キック動作をより確実にサポートすることができる。
【００６１】
図１４（ａ）は別の変形例に係る衣類１００を示す正面図であり、図１４（ｂ）は別の変形例に係る衣類１００を示す背面図である。この変形例では腰サポート部３のベースパターンの後側におけるウエスト高が前側のそれよりも低くしてあり、骨盤を後傾方向に回転させる作用をより高めることができる。
【００６２】
図１５（ａ）は別の変形例に係る衣類１００を示す正面図であり、図１５（ｂ）は別の変形例に係る衣類１００を示す背面図である。この変形例では鼠経部がより広く伸縮性の高い大腿サポート本体部４１で覆われており、着圧をかける高さを変えることで骨盤を後傾方向に回転させる作用をより高めることができる。
【００６３】
図１６（ａ）は別の変形例に係る衣類１００を示す正面図であり、図１６（ｂ）は別の変形例に係る衣類１００を示す背面図である。この変形例では腰サポート部３の前面側の中央部が、股下まで延びている。図１７（ａ）は別の変形例に係る衣類１００を示す正面図であり、図１７（ｂ）は別の変形例に係る衣類１００を示す背面図である。この変形例では腰サポート部３の上縁辺が上方に対して凸状に形成されている。図１８（ａ）は別の変形例に係る衣類１００を示す正面図であり、図１８（ｂ）は別の変形例に係る衣類１００を示す背面図である。この変形例では腰サポート部３が前面側と背面側で分割され、体側において丈方向にオーバーラップしている。図１６（ａ）〜図１８（ｂ）に示す変形例では、実施形態２における衣類１００と同等の作用効果を有する。
【００６４】
図１９（ａ）は別の変形例に係る衣類１００を示す正面図であり、図１９（ｂ）は別の変形例に係る衣類１００を示す背面図である。この変形例では腰サポート部３の上方に例えば身生地一重の帯状の部分が設けられており、腰サポート部３がウエストの縫製と重ならないため、ウエストの過度な締め付けを抑えることができる。
【００６５】
図２０（ａ）は別の変形例に係る衣類１００を示す正面図であり、図２０（ｂ）は別の変形例に係る衣類１００を示す背面図である。この変形例では腰サポート部３が前面側と背面側で分割され、体側において周方向に離間して設けられている。図２１（ａ）は別の変形例に係る衣類１００を示す正面図であり、図２１（ｂ）は別の変形例に係る衣類１００を示す背面図である。この変形例では腰サポート部３の上縁辺が波打つように形成されている。図２０（ａ）〜図２１（ｂ）に示す変形例では、腰回りに過度な着圧が作用することを防ぐことができる。また、上述の実施形態および各変形例において、体側サポート部２と大腿サポート本体部４１との伸縮性、および、前面サポート部１と大腿後面サポート部４２の伸縮性を同程度に設定してもよい（上半身および下半身において、それぞれ低伸縮性部分どうし、高伸縮性部分どうしが同じ程度の伸縮性を有する構成であってもよい）。また、前面サポート部１や伸縮性付与部内の全域が同じ伸縮性である必要はなく、部分的に伸縮性が異なっていてもよい。
【００６６】
次に、実施形態１および実施形態２並びに各変形例に係る衣類１００の特徴を説明する。
衣類１００は、着用者の胸部を覆う胸サポート部１１、および胸部から股上にかけて形成される中央サポート部１２を有する前面サポート部１と、前面サポート部１よりも伸縮性が高い伸縮性付与部としての体側サポート部２とを備え、着用者の身体に密着するように形成されている。胸サポート部１１は、下縁辺１１ａがバージスラインよりも上方に位置し、体側サポート部２は、下縁辺１１ａの下方および体側部を覆うように形成されている。これにより、衣類１００は、蹴伸びなどの腕を挙げる動作において、胸部から体側にかけての皮膚の伸びに生地が追従し、身体の可動性が良く、中央サポート部１２により蹴伸び姿勢が良好となる。
【００６７】
また、胸サポート部１１と中央サポート部１２との接続部分に周方向の幅が狭い幅狭部１２ａが形成され、中央サポート部１２は、幅狭部１２ａに続いて幅広部１２ｂが下方に延びるように設けられている。これにより、体側サポート部２が覆う領域がバージスラインの下方において広がり、皮膚の伸びに対する生地の追従性がより高まる。
【００６８】
衣類１００は、着用者の胸部を覆う胸サポート部１１、および胸部から股上にかけて形成される中央サポート部１２を有する前面サポート部１と、前面サポート部１よりも伸縮性が高い伸縮性付与部としての体側サポート部２とを備え、着用者の身体に密着するように形成されている。胸サポート部１１と中央サポート部１２との接続部分に周方向の幅が狭い幅狭部１２ａが形成され、中央サポート部１２は、幅狭部１２ａに続いて幅広部１２ｂが下方に延びるように設けられている。体側サポート部２は、胸サポート部１１の下方および体側部を覆うように形成されている。これにより、衣類１００は、幅狭部１２ａを設けることで伸縮付与部としての体側サポート部２がバージスラインの下縁を覆う領域が、幅狭部１２ａを設けない場合よりも拡大し、胸部から体側部にかけての皮膚の伸びに対する生地の追従性がより高まる。また、幅狭部１２ａを設けることで、左右の胸サポート部１１は正中線付近を軸に上方に回動し易くなる。つまり、腕挙げに伴って上方へ変位する左右の胸部と、変位しない谷間部との相対的な位置変化に追従し易くなる。
【００６９】
また、伸縮性付与部は、さらに胸サポート部１１の上方に形成されており、胸上サポート部１５がこれに相当する。これにより、衣類１００は、着用初期状態での丈方向への伸長率と張力を高めた状態とし、腕挙げに伴って伸長率と張力が減じる方向の動きとなるため、腕挙げがしやすくなる。また、肩部における着圧を低く設定でき、肩の締め付け感や肩の動きの妨げとなることを抑制することができる。
【００７０】
また、胸サポート部１１の上縁辺１１ｂは、中央部が上方に対して凹状となっている。これにより、衣類１００は、腕を外に開くような動作時に、左右の胸の間が突っ張らない。
【００７１】
また、着用者の腰部に配設されており、中央サポート部１２の周方向における両端から背中を覆い、前面サポート部１よりも周方向の伸縮性が低い腰サポート部３を備える。これにより、衣類１００は、着用者の腰部における着圧を高めることができる。
【００７２】
また、腰サポート部３と離間して着用者の大腿部の後面に配設されており、着用者の大腿部を覆う大腿サポート本体部４１よりも伸縮性が低い大腿後面サポート部４２を備える。これにより、衣類１００は、着用者の過度な股関節屈曲を制御し、股関節伸展へと促すことで、脚のキック動作を補助することができる。
【００７３】
また、腰サポート部３と大腿後面サポート部４２との間は、外側よりも内側が狭い。これにより、衣類１００は、脚の外への開きを抑制することができる。
【００７４】
また、大腿後面サポート部４２の周方向の寸法は、大腿部の後面における周方向の寸法の半分以下である。これにより、衣類１００は、大腿部の着圧が過度に高くならない。
【００７５】
また、大腿後面サポート部４２の上縁側における外縁辺は、大腿部の後面における外縁から３分の１内側に入ったラインよりも内側に位置している。これにより、衣類１００は、脚の外への開きを抑制することができる。
【００７６】
衣類１００は着用者の身体に密着するように形成されている。衣類１００は、着用者の大腿部を覆う大腿サポート部４と、腰部における前面および背面を覆い、大腿サポート部４よりも伸縮性が低い腰サポート部３とを備える。腰サポート部３の上縁辺は、背面側よりも前面側が高い位置にある。これにより、衣類１００は、着用者の腰部において、前面側では上部寄り、背面側では下部寄りに着圧をかけることで、過度に前傾した骨盤が起きるように姿勢を補正することができる。
【００７７】
衣類１００は、着用者の骨盤の高さに相当する位置に上縁辺が形成され、下半身を覆うように形成されている。これにより、衣類１００は、男性用の水着（パンツ）等について、過度に前傾した骨盤が起きるように姿勢を補正することができる。
【００７８】
また、腰サポート部３の上縁辺は、背面側において上方に対して凹状に形成されている。これにより、衣類１００は、腰サポート部３の上縁辺を背面側において低い位置に形成することができ、過度に前傾した骨盤が起きるように姿勢を補正することができる。
【００７９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００８０】
１  前面サポート部、  １１  胸サポート部、  １２  中央サポート部、
１１ａ  下縁辺、  １１ｂ  上縁辺、  １５  胸上サポート部（伸縮性付与部）、
２  体側サポート部（伸縮性付与部）、  ３  腰サポート部、
４  大腿サポート部、  ４１  大腿サポート本体部、  ４２  大腿後面サポート部、
１００  衣類。
【図１】
2020186484.tif 000003
【図２】
2020186484.tif 000004
【図３】
2020186484.tif 000005
【図４】
2020186484.tif 000006
【図５】
2020186484.tif 000007
【図６】
2020186484.tif 000008
【図７】
2020186484.tif 000009
【図８】
2020186484.tif 000010
【図９】
2020186484.tif 000011
【図１０】
2020186484.tif 000012
【図１１】
2020186484.tif 000013
【図１２】
2020186484.tif 000014
【図１３】
2020186484.tif 000015
【図１４】
2020186484.tif 000016
【図１５】
2020186484.tif 000017
【図１６】
2020186484.tif 000018
【図１７】
2020186484.tif 000019
【図１８】
2020186484.tif 000020
【図１９】
2020186484.tif 000021
【図２０】
2020186484.tif 000022
【図２１】
2020186484.tif 000023